(57)【特許請求の範囲】
【請求項１】
建具枠に建具体を、見込み方向に接すると共に、外れ止め具で見込み方向に外れないように取付けた建具であって、
前記外れ止め具は、外れ止め部材とロック部材を備え、
前記外れ止め部材は、建具枠の建具取付部よりも見付け方向外側の外れ止め位置と、見付け方向内側の非外れ止め位置とに亘って移動自在で、かつ非外れ止め位置に保持され、
前記ロック部材は、前記外れ止め部材を非外れ止め位置に保持するロック位置と、その保持を解放するロック解除位置とに亘って移動自在で、かつロック位置に保持され、
前記建具体を建具枠に向けて見込み方向に移動することで、前記ロック部材が建具枠に接してロック解除位置に移動するようにしたことを特徴とする建具。
【請求項２】
ロック部材がロック位置の時には、そのロック部材は建具体の裏面から突出し、かつ建具体を見込み方向一側から他側に向けて移動することでロック部材が建具枠の建具体取付部の見込み方向一側面に接してロック解除位置に移動し、建具体の裏面が前記建具体取付部の見込み方向一側面に接し、
この建具体の裏面と外れ止め部材とで前記建具体取付部を挟持するようにした請求項１記載の建具。
【請求項３】
建具体の上部と下部に外れ止め具をそれぞれ設け、
上部に設けた外れ止め具の外れ止め部材と建具体の上部裏面とで、建具枠の上枠の建具体取付部を挟持し、
建具体の下部が、建具枠の下枠の建具体取付部に載置し、
建具体の左右の縦部が、前記建具枠の左右の縦枠の建具体取付部の見込み方向一側面に接している請求項２記載の建具。
【請求項４】
外れ止め具は、外れ止め部材が外れ止め位置の時には、当該外れ止め部材でロック部材をロック解除位置に保持し、かつ外れ止め部材を外力によって非外れ止め位置に移動するようにし、
前記外れ止め部材が非外れ止め位置の時には、ロック部材がロック位置に移動するようにし、
前記外れ止め具を非外れ止め位置に移動する操作部材を設けた請求項１〜３いずれか１項に記載の建具。
【請求項５】
外れ止め具は、本体に外れ止め部材とロック部材を設け、この本体は横材、縦材を連結する第１．第２連結部材を所定の角度で備えている請求項１〜４いずれか１項に記載の建具。
【請求項６】
外れ止め具の外れ止め部材は、非外れ止め位置と外れ止め位置とに亘って平行移動し、
ロック部材は、ロック位置とロック解除位置とに亘って平行移動又は回転移動するようにした請求項１〜５いずれか１項に記載の建具。
【請求項７】
請求項１〜６いずれか１項に記載の外れ止め具。
【発明の詳細な説明】
【技術分野】
【０００１】
本発明は、建具枠に網戸等の建具体を取付けした建具に関する。
【背景技術】
【０００２】
従来、建具枠に建具体として網戸を取付けした建具が種々提案されている。
例えば、特許文献１に開示されたように、建具枠の上枠に上枠レールを設け、建具体の上框に上枠レール係合受部材を取付け、その建具体を垂直に対して斜めの姿勢として持ち上げることで、上枠レール係合受部材を上枠レールよりも室内側の上方に移動し、その状態で建具体を垂直の姿勢とした後に、建具体を下方に移動して取付けるようにした、いわゆる、上下けんどん式に取付ける建具が提案されている。
【特許文献１】特開２００４−２８５６０３号公報
【発明の開示】
【発明が解決しようとする課題】
【０００３】
前述した従来の建具であると、建具体を建具枠に取付けるには次のような動作をしなければならず、その建具体を建具枠に取付ける作業が面倒である。
第１の動作は、建具体を手で持って斜めの姿勢とする動作。
第２の動作は、建具体を斜めの姿勢で持ったままで、その上枠レール係合受部材を上枠レールよりも室内側に位置あわせする動作。
第３の動作は、建具体を斜めの姿勢のままで持ち上げて上枠レール係合受部材を上枠レールよりも上方に移動する動作。
第４の動作は、建具体を垂直姿勢とする動作。
第５の動作は、建具体を下方に移動する動作である。
【０００４】
本発明の目的は、建具体を建具枠に簡単に取付けできるようにした建具とすることである。
【課題を解決するための手段】
【０００５】
本発明は、建具枠に建具体を、見込み方向に接すると共に、外れ止め具で見込み方向に外れないように取付けた建具であって、
前記外れ止め具は、外れ止め部材とロック部材を備え、
前記外れ止め部材は、建具枠の建具取付部よりも見付け方向外側の外れ止め位置と、見付け方向内側の非外れ止め位置とに亘って移動自在で、かつ非外れ止め位置に保持され、
前記ロック部材は、前記外れ止め部材を非外れ止め位置に保持するロック位置と、その保持を解放するロック解除位置とに亘って移動自在で、かつロック位置に保持され、
前記建具体を建具枠に向けて見込み方向に移動することで、前記ロック部材が建具枠に接してロック解除位置に移動するようにしたことを特徴とする建具である。
【０００６】
本発明においては、ロック部材がロック位置の時には、そのロック部材は建具体の裏面から突出し、かつ建具体を見込み方向一側から他側に向けて移動することでロック部材が建具枠の建具体取付部の見込み方向一側面に接してロック解除位置に移動し、建具体の裏面が前記建具体取付部の見込み方向一側面に接し、
この建具体の裏面と外れ止め部材とで前記建具体取付部を挟持するようにできる。
このようにすれば、建具体を見込み方向一側から他側に向けて移動することで取付けできる。
また、建具体の裏面と外れ止め部材で建具体取付部を挟持しているので、建具体をしっかりと取付けできる。
ここで、建具体としては網戸、ガラリ、ルーバー、パンチングパネル等が例示できる。
【０００７】
本発明においては、建具体の上部と下部に外れ止め具をそれぞれ設け、
上部に設けた外れ止め具の外れ止め部材と建具体の上部裏面とで、建具枠の上枠の建具体取付部を挟持し、
建具体の下部が、建具枠の下枠の建具体取付部に載置し、
建具体の左右の縦部が、前記建具枠の左右の縦枠の建具体取付部の見込み方向一側面に接するようにできる。
このようにすれば、建具体の上部、左右の縦部が建具枠の上枠、左右の縦枠の建具体取付部の見込み方向一側面にそれぞれ接し、建具体の下部が建具枠の下枠の建具本体取付部に接しているので、建具枠と建具体との間から虫などが侵入することがない。
【０００８】
本発明においては外れ止め具は、外れ止め部材が外れ止め位置の時には、当該外れ止め部材でロック部材をロック解除位置に保持し、かつ外れ止め部材を外力によって非外れ止め位置に移動するようにし、
前記外れ止め部材が非外れ止め位置の時には、ロック部材がロック位置に移動するようにし、
前記外れ止め具を非外れ止め位置に移動する操作部材を設けることができる。
このようにすれば、操作部材で外れ止め部材を非外れ止め位置に移動することで、ロック部材がロック位置に移動して外れ止め部材を非外れ止め位置に保持することができる。
したがって、建具枠から建具体を簡単に取り外しできる。
【０００９】
本発明においては、外れ止め具は、本体に外れ止め部材とロック部材を設け、この本体は横材、縦材を連結する第１．第２連結部材を所定の角度で備えていることができる。
このようにすれば、外れ止め具の本体によって横材と縦材を連結でき、その本体を枠体のコーナーブロックとして利用できる。
したがって、上横材と下横材と左右の縦材を連結した枠体を有した建具体の場合に、外れ止め具の本体を利用して枠体を連結できる。
【００１０】
本発明においては、外れ止め具の外れ止め部材は、非外れ止め位置と外れ止め位置とに亘って平行移動し、
ロック部材は、ロック位置とロック解除位置とに亘って平行移動又は回転移動するようにできる。
このようにすれば、外れ止め部材は狭いスペースで外れ止め位置と非外れ止め位置とに亘って移動できる。
また、ロック部材を平行移動すれば狭いスペースで移動できるし、回転移動すればスムーズにロック位置とロック解除位置とに亘って移動できる。
【発明の効果】
【００１１】
本発明によれば、建具体を手で持って建具枠に向けて見込み方向に移動することで、建具体が建具枠に接すると共に、外れ止め部材が外れ止め位置に移動するので、建具体を建具枠に簡単に取付けできる。
【発明を実施するための最良の形態】
【００１２】
図１に示すように、建具枠１に建具体２を取付けて建具としてある。
前記建具体２は建具枠１に見込み方向に接していると共に、外れ止め具３で見込み方向に外れないように取付けてある。
前記建具枠１は、上枠１０と下枠１１と左右の縦枠１２を方形状に連結してある。
前記建具体２は、上横材２０と下横材２１と左右の縦材２２を方形状に連結した枠体２３を備えている。
この実施の形態では、前記枠体２３に防虫網２４を張設して網戸としてある。
前記建具体２は枠体を備えないパネル状のものでも良く、前記上横材２０が建具体２の上部、下横材２１が下部、左右の縦材２２が左右の縦部である。
【００１３】
前記建具体２は、図１、図２、図３に示すように、下横材２１の下部２１ａが下枠１１の建具体取付部１１ａに載置し、上横材２０が上枠１０の建具体取付部１０ａにおける見込み方向一側面に当接すると共に、左右の縦材２２が左右の縦枠１２の建具体取付部１２ａにおける見込み方向一側面に当接し、前記枠体２３に取付けた外れ止め具３で建具体２が見込み方向一側方に外れないように支持されることで、建具体２が建具枠１に取付けてある。
前記見込み方向とは、図２における左右方向、例えば室内側と室外側に向かう方向で、見込み方向一側とは例えば、室内側で、見込み方向他側とは例えば、室外側である。
【００１４】
前記外れ止め具３は、上横材２０の長手方向両端寄りと下横材２１の長手方向両端寄りにそれぞれ取付けてある。
この外れ止め具３は、図２〜図５に示すように外れ止め部材３０とロック部材４０を備えている。
前記外れ止め部材３０は図２に示すように、建具体取付け状態においては上枠１０、下枠１１の建具体取付部１０ａ，１１ａよりも見込み方向他側寄りに位置し、この外れ止め部材３０は、図２に示すように前記建具体取付部１０ａ，１１ａよりも見付け方向外側に突出した外れ止め位置と、図４に示すように、前記建具体取付部１０ａ，１１ａよりも見付け方向内側の非外れ止め位置とに亘って移動自在で、ばね等の弾性部材で外れ止め位置に保持してある。
前述の見付け方向とは建具枠１における上枠１０と下枠１１に向かう上下方向で、見付け方向外側とは上枠１０の場合には下枠１１と離れる上方で、下枠１１の場合には上枠１０と離れる下方である。前記見付け方向内側とは上枠１０の場合には下枠１１に向かう下方で、下枠１１の場合には上枠１０に向かう上方である。
【００１５】
すなわち、上横材２０に取付けた外れ止め具３の外れ止め部材３０は、上枠１０の建具体取付部１０ａよりも上方の外れ止め位置と、下方の非外れ止め位置とに亘って移動する。
前記下横材２１に取付けた外れ止め具３の外れ止め部材３０は、下枠１１の建具体取付部１１ａよりも下方の外れ止め位置と、上方の非外れ止め位置とに亘って移動する。
【００１６】
前記ロック部材４０は、図４、図５に示すように、前記外れ止め部材３０を非外れ止め位置で保持して外れ止め位置に移動しないようにするロック位置と、図２、図３に示すように、外れ止め部材３０の保持を解放して外れ止め位置に移動可能とするロック解除位置とに亘って移動自在で、ばね等の弾性部材でロック位置に保持されている。
このロック部材４０は、図３に示すように建具枠１、例えば左右の縦枠１２の建具体取付部１２ａの見込み方向一側面に当接するとロック解除位置に移動する。
【００１７】
例えば、ロック部材４０を見込み方向他側のロック位置と見込み方向一側のロック解除位置とに亘って見込み方向に移動自在とし、そのロック部材４０が図５に示すように左右の縦枠１２の建具体取付部１２ａの見込み方向一側面と対向するようにする。
そして、建具体２を見込み方向他側に向けて移動するとロック部材４０が前記建具体取付部１２ａの見込み方向一側面に押しつけられて相対的に見込み方向一側方に移動してロック解除位置となる。
【００１８】
このようであるから、建具体２は次の動作によって建具枠１に取付けできる。
図４、図５に示すように、建具体２を手で持って建具枠１の見込み方向一側方に、垂直姿勢として対向させ、そのままの状態で建具体２を見込み方向他側方に向けて略平行移動し、図２、図３に示すように、各外れ止め具３の外れ止め部材３０を上枠１０、下枠１１の建具体取付部１０ａ，１１ａよりも見込み方向他側寄りとすると共に、上横材２０、縦材２２を上枠１０、縦枠１２の建具体取付部１０ａ，１２ａの見込み方向一側面に当接し、下横材２１の下部２１ａを下枠１１の建具体取付部１１ａに載置する。
【００１９】
このようにすることで、各ロック部材４０がロック解除位置に移動し、各外れ止め部材３０が外れ止め位置に移動して建具体２を建具枠１に取付けできる。
したがって、建具体２を建具枠１に簡単に取付けできる。
【００２０】
次に、各部材を詳細に説明する。
前記上枠１０は図２、図４に示すように、上枠本体１３の見込み方向一側部に補助枠材１４を取付け、この補助枠材１４における上枠本体１３の見込み方向一側部よりも見付け方向内側に突出した鉤形の部分１４ａを建具体取付部１０ａとしてある。
このようにすることで、通常一般のサッシ窓、例えば縦すべり出し窓の室内側部に建具体２（網戸）を取付けできる。
【００２１】
前記下枠１１は、図２、図４に示すように、見込み方向一側部の上部に横向片１５を備え、この横向片１５が建具体取付部１１ａとしてある。
前記縦枠１２は、図３、図５に示すように、見込み方向に向かう基板１６の見込み方向一側寄りに見付け方向内側に向かう内向板１７を有し、この内向板１７に気密材が装着してあると共に、建具体取付部１２ａとしてある。
また、前記建具枠１には仮想線で示すように、障子１８が縦すべり出し自在に取付けてあり、前述の縦すべり出し窓としてある。この障子１８の取付けは従来と同様であるので、図示を省略してある。
【００２２】
前記上横材２０、下横材２１、縦材２２は図２〜図５に示すように、中空形状の本体２５の見込み方向内側に網戸取付用の溝２６を有し、この溝２６に防虫網２４の周縁部が押えビード２７で取付けてある。
【００２３】
前記外れ止め具３は図６〜図１０に示すように、本体５０を備えている。
この本体５０は、裏面５０ａに開口した凹部５１を有し、この凹部５１内に前記外れ止め部材３０とロック部材４０がそれぞれ設けてある。
前記外れ止め部材３０は、取付基部３１と外れ止め片３２を有し、その取付基部３１が前記凹部５１内に外れ止め位置と非外れ止め位置とに亘って上下方向に平行移動自在に取付けられ、ばね３３で外れ止め位置に保持されていると共に、その外れ止め片３２が本体５０の裏面５０ａよりも突出する。
前記取付基部３１には軸部３４が設けてある。この軸部３４は前記移動方向と直交する方向に突出している。
【００２４】
前記ロック部材４０は、前記本体５０の凹部５１内に、そのガイド５２に沿って図９に示すロック位置と図１０に示すロック解除位置とに亘って左右方向（見込み方向）に平行移動自在に設けられ、ばね４１でロック位置に向けて押され、上下面に設けたストッパ片４２が本体５０のガイド穴５３の見込み方向一端面５３ａに当接してロック位置に保持される。
このロック部材４０がロック位置の時には、その移動方向における一側面４０ａが本体５０の裏面５０ａ（建具体２の裏面）よりも突出する。
前記ロック部材４０は、移動方向と直交する両側面４０ｂに開口したＬ字形状の溝４３を有している。
この溝４３内に前記外れ止め部材３０の軸部３４が挿入され、図９に示すようにロック部材４０がロック位置の時に、この溝４３の横向きの第１溝部４３ａに軸部３４が挿入されることで外れ止め部材３０がばね３３に抗して非外れ止め位置に保持され、かつロック部材４０は第１溝部４３ａが軸部３４に沿って移動することでロック位置とロック解除位置とに亘って移動する。
【００２５】
図１０に示すように、前記ロック部材４０がばね４１に抗してロック解除位置に移動することで、前記溝４３の縦向きの第２溝部４３ｂが前記軸部３４と合致し、軸部３４が第２溝部４３ｂに沿って上方に移動可能となるので、外れ止め部材３０はばね３３で外れ止め位置に移動する。
【００２６】
前記外れ止め部材３０が外れ止め位置の時には、その軸部３４が第２溝部４３ｂに挿通しているので、ロック部材４０は、ばね４１でロック解除位置に移動できずにロック位置に保持される。
また、外れ止め部材３０をばね３３に抗して非外れ止め位置に移動可能である。
【００２７】
前記本体５０の表面板５４には凹部５１に開口した開口部５５が形成され、この開口部５５から操作部材６０の突起６１を凹部５１内に挿入して外れ止め部材３０（取付基部３１）に連結してある。
これにより、表面側から操作部材６０を持って外れ止め部材３０をばね３３に抗して非外れ止め位置に移動できる。
前記外れ止め部材３０が非外れ止め位置に移動すると、軸部３４が第１溝部４３ａに合致し、ロック部材４０は、ばね４１でロック位置に移動する。
【００２８】
前記本体５０は第１連結部材５６と第２連結部材５７を備え、この第１・第２連結部材５６，５７は、前記枠体２３の上横材２０、下横材２１、縦材２２の本体２５の中空部に嵌合して本体５０と上・下横材２０，２１、縦材２２を連結できるようにしてある。
また、本体５０の裏面５０ａ側には、図７に示すように、前記上・下横材２０，２１、横材２２の溝２６を連続して押えビード２７を押し込みできるようにした鉤形状の溝５８を有している。
【００２９】
このようであるから、外れ止め具３の本体５０を用いて上横材２０と縦材２２、下横材２１と縦材２２を連結して枠体２３とすることができるので、その本体５０をコーナーブロックとして利用できる。
前記本体５０の裏面５０ａと上横材２０、下横材２１、縦材２２の裏面は面一となるようにしてある。
【００３０】
次に、建具体２を建具枠１に取付ける動作を詳細に説明する。
図４と図５に示すように、ロック部材４０をロック位置として外れ止め部材３０を非外れ止め位置に保持する。
この状態で、建具体２を手で持って建具枠１の見込み方向一側に略垂直姿勢に配置し、上横材２０に取付られた外れ止め具３のロック部材４０の一側面４０ａ（見込み方向他側面）を、上枠１０、縦枠１２の建具体取付部１０ａ，１２ａの見込み方向一側面に接すると共に、下横材２１に取付けた外れ止め具３のロック部材４０の一側面４０ａを縦枠１２の建具体取付部１２ａの見込み方向一側面に接する。
【００３１】
この状態で、建具体２を見込み方向他側に向けて略平行に移動し、外れ止め部材３０（外れ止め片３２）を各建具体取付部１０ａ，１１ａ，１２ａよりも見込み方向他側寄りとすると共に、上・下横材２０，２１、縦材２２（本体２５）の裏面を各建具体取付部１０ａ，１１ａ，１２ａの見込み方向一側面に接し、下横材２１（本体２５）の下部２１ａを下枠１１の建具体取付部１１ａに載置する。
このようであるから、建具体２の周囲が各建具体取付部１０ａ，１１ａ，１２ａに接して建具枠１、建具体２との間に隙間がなく、虫などが侵入することがない。
【００３２】
前述の動作によってロック部材４０がばね４１に抗して見込み方向一側に向けて相対的に移動してロック解除位置となり、外れ止め部材３０（外れ止め片３２）が外れ止め位置に移動して、図２、図３に示す取付け状態となる。
【００３３】
図２に示すように、上横材２０に取付けた外れ止め具３の外れ止め部材３０（外れ止め片３２）は、上枠１０の建具取付部１０ａの見込み方向他側面に接している。
これによって、上枠１０の建具取付部１０ａを外れ止め部材３０（外れ止め片３２）と上横材２０（建具体２の上部の裏面）とで挟持するので、上横材２０を上枠１０にしっかりと取付けできる。
【００３４】
次に、建具体２の建具枠１から取り外しする動作を説明する。
図２に示す状態から、操作部材６０を見付け方向内側に移動して外れ止め部材３０を非外れ止め位置に移動する。
これによって、ロック部材４０がばね４１でロック位置に向けて移動して外れ止め部材３０が非外れ止め位置に保持される。
したがって、操作部材６０から手を離しても外れ止め部材３０が非外れ止め位置に保持されているので、建具体２を手で持って見込み方向一側に向けて移動することで、建具体２を建具枠１から取り外しできる。
【００３５】
次に、外れ止め具の第２の実施の形態を図１１〜図１５に基づいて説明する。
前述の実施の形態では、ロック部材４０をロック位置とロック解除位置とに亘って平行移動するようにしたが、この第２の実施の形態では、ロック部材４０をロック位置とロック解除位置とに亘って回転移動するようにした。
【００３６】
例えば、本体５０の凹部５１内に、ロック部材４０の基部をピン４４で見込み方向に回転自在に取付け、第１溝部４３ａをピン４４を中心とする円弧形状とする。
前記ピン４４に捻りコイルばね４５を設け、その一端部をロック部材４０に支持し、他端部を本体５０に支持してロック部材４０を見込み方向他側に回転付勢し、第１溝部４３ａの端部を軸部３４に当接してロック位置に保持する。
前記ロック部材４０がロック位置の時に、そのロック部材４０の先部が本体５０の裏面５０ａよりも見込み方向他端に突出する。
【００３７】
そして、ロック部材４０を見込み方向一側に向けて回転すると、外れ止め部材３０の軸部３４が第１溝部４３ａから第２溝部４３ｂに摺動し、図１４に示すようにロック部材４０がロック解除位置となると外れ止め部材３０は、図１５に示すように、ばね３３で外れ止め位置に移動する。
前記外れ止め部材３０が外れ止め位置となると、軸部３４が上下方向に向かう第２溝部４３ｂに位置するので、ロック部材４０が前述の捻りコイルばね４５でロック位置に向けて回転することが阻止され、ロック部材４０は外れ止め部材３０でロック解除位置に保持される。
【００３８】
次に、外れ止め具の第３の実施の形態を図１６〜図１８に基づいて説明する。
前述の第１・第２の実施の形態では、操作部材６０が見込み方向一側で、ロック部材４０のロック位置が見込み方向他側で、ロック解除位置が見込み方向一側としたが、この実施の形態では、操作部材６０が見込み方向一側で、ロック位置を見込み方向一側で、ロック解除位置を見込み方向他側とした。
【００３９】
すなわち、前述の外れ止め具３を見込み方向に反転して取付けすれば、本体５０を見込み方向他側から一側に向けて移動することで外れ止め部材３０を外れ止め位置にできるが、そのようにすると操作部材６０が見込み方向他側となってしまう。
【００４０】
そこで、この実施の形態では、本体５０の裏面５０ａを閉塞して凹部５１を、前記表面板５４に形成した開口部５５と、ロック部材用の開口部５６で表面に開口する。
このようにすれば、操作部材６０を本体５０の表面側（見込み方向一側）に設けることができる。
ロック用部材４０を、前記ロック部材用の開口部５６より表面側に突出可能とし、ばね４１で突出したロック位置とする。
そして、本体５０が見込み方向一側に向けて移動するとロック部材４０が縦枠１２などの建具枠１に接し、ばね４１に抗して相対的に見込み方向一側に移動して図１８に示すロック解除位置に移動するようにしてある。
外れ止め部材３０の取付け部材は、前述の第２の実施の形態の図１３と同一であるので、説明を省略する。
【００４１】
このようにすれば、ロック部材４０のロック位置が見込み方向一側で、ロック解除位置が見込み方向他側で、本体５０を見込み方向他側から見込み方向一側に向けて移動することで外れ止め部材３０が外れ止め位置に移動する。
したがって、この外れ止め具３は、建具体２を建具枠１の見込み方向他側（室外側）に取付ける場合に好ましい。
【００４２】
前述の各実施の形態は、建具体２として網戸としたが、パンチングパネル、ルーバー、ガラリ等でも良い。
また、上横材２０、下横材２１に外れ止め具３を取付けしたが、縦材２２に取付けても良いし、上・下横材２０，２１と縦材２２にそれぞれ取付けても良い。
すなわち、外れ止め具３は建具体２の上下・左右の任意の位置に取付けることができる。
また、本体５０を建具体２にビス等で取付けるようにしても良いし、本体５０を用いずに外れ止め部材３０とロック部材４０を建具体２に直接取付けるようにしても良い。
また、本発明の外れ止め具は、建具体の取付けに限ることはなく、他の部材の取付けなどに使用できるものである。
【図面の簡単な説明】
【００４３】
【図１】本発明の実施の形態を示す建具の概略内観図である。
【図２】図１の詳細縦断面図である。
【図３】図１の詳細横断面図である。
【図４】建具体の取付け動作説明用の縦断面図である。
【図５】建具体の取付け動作説明用の横断面図である。
【図６】外れ止め具の正面図である。
【図７】外れ止め具の背面図である。
【図８】外れ止め具の分解斜視図である。
【図９】外れ止め具の動作説明用の断面図である。
【図１０】外れ止め具の動作説明用の断面図である。
【図１１】外れ止め具の第２の実施の形態を示す非外れ止め状態の正面図である。
【図１２】図１１のＡ−Ａ断面図である。
【図１３】図１２のＢ−Ｂ断面図である。
【図１４】外れ止め具の外れ止め状態の断面図である。
【図１５】外れ止め具の外れ止め状態の断面図である。
【図１６】外れ止め具の第３の実施の形態を示す非外れ止め状態の正面図である。
【図１７】図１６のＣ−Ｃ断面図である。
【図１８】外れ止め具の外れ止め状態の断面図である。
【符号の説明】
【００４４】
１…建具枠、２…建具体、３…外れ止め具、１０…上枠、１０ａ…建具体取付部、１１…下枠、１１ａ…建具体取付部、１２…縦枠、１２ａ…建具体取付部、２０…上横材（建具体上部）、２１…下横材（建具体下部）、２２…縦材（建具体縦部）、２３…枠体、３０…外れ止め部材、４０…ロック部材、５０…本体、５６…第１連結部材、５７…第２連結部材、６０…操作部材。
【図１】
0004864924.tif 000002
【図２】
0004864924.tif 000003
【図３】
0004864924.tif 000004
【図４】
0004864924.tif 000005
【図５】
0004864924.tif 000006
【図６】
0004864924.tif 000007
【図７】
0004864924.tif 000008
【図８】
0004864924.tif 000009
【図９】
0004864924.tif 000010
【図１０】
0004864924.tif 000011
【図１１】
0004864924.tif 000012
【図１２】
0004864924.tif 000013
【図１３】
0004864924.tif 000014
【図１４】
0004864924.tif 000015
【図１５】
0004864924.tif 000016
【図１６】
0004864924.tif 000017
【図１７】
0004864924.tif 000018
【図１８】
0004864924.tif 000019